(57)【特許請求の範囲】
【請求項１】
収容室と、前記収容室と通じた開口部と、が設けられた支持部と、
音を放射する音放射部を有し、回転中心軸回りに回転可能に前記支持部に支持された回転部と、
前記開口部を通るとともに前記収容室と前記音放射部とに亘って設けられたケーブルと、
前記開口部に設けられ、塵を捕捉可能であり、前記開口部内において前記回転中心軸の周方向へ移動する前記ケーブルに押されることにより弾性変形する防塵部と、
を備えたスピーカ装置。
【請求項２】
前記防塵部は、導電性を有した、請求項１に記載のスピーカ装置。
【請求項３】
前記支持部は、
ケースと、
前記ケースに一部が収容されたシャフトと、
前記シャフトを前記回転中心軸回りに回転可能に支持した軸受と、
導電性を有し、前記軸受を支持した軸受ホルダと、
を備え、
前記開口部は、前記ケースと前記軸受ホルダの間に設けられ、
前記防塵部は、前記軸受ホルダに支持された、請求項１または２に記載のスピーカ装置。
【請求項４】
前記防塵部は、ブラシである、請求項１〜３のうちいずれか一つに記載のスピーカ装置。
【請求項５】
前記防塵部は、複数の帯状のシートを有した、請求項１〜３のうちいずれか一つに記載のスピーカ装置。
【発明の詳細な説明】
【技術分野】
【０００１】
本発明は、スピーカ装置に関する。
【背景技術】
【０００２】
従来、例えば、店舗の天井等に設置されるスピーカ装置がある。この種のスピーカ装置として、天井に取り付けられる支持部と、音放射部を有し回転可能に支持部に支持された回転部と、支持部と音声放射部とに亘って設けられたケーブルと、を備えたものがある。
【先行技術文献】
【特許文献】
【０００３】
【特許文献１】特開２０２０−１２９８２１号公報
【発明の概要】
【発明が解決しようとする課題】
【０００４】
この種のスピーカ装置の支持部には、ケーブルが通る開口部が設けられており、開口部から支持部の内部に塵が入る場合がある。そこで、支持部の内部に塵が入るのが抑制されやすい新規な構成のスピーカ装置が得られれば有益である。
【０００５】
本発明の課題の一つは、支持部の内部に塵が入るのが抑制されやすい新規な構成のスピーカ装置を得ることである。
【課題を解決するための手段】
【０００６】
本発明の第一の態様にかかるスピーカ装置は、収容室と、前記収容室と通じた開口部と、が設けられた支持部と、音を放射する音放射部を有し、回転中心軸回りに回転可能に前記支持部に支持された回転部と、前記開口部を通るとともに前記収容室と前記音放射部とに亘って設けられたケーブルと、前記開口部に設けられ、塵を捕捉可能であり、前記開口部内において前記回転中心軸の周方向へ移動する前記ケーブルに押されることにより弾性変形する防塵部と、を備える。
【０００７】
前記スピーカ装置では、例えば、前記防塵部は、導電性を有する。
【０００８】
前記スピーカ装置では、例えば、前記支持部は、ケースと、前記ケースに一部が収容されたシャフトと、前記シャフトを前記回転中心軸回りに回転可能に支持した軸受と、導電性を有し、前記軸受を支持した軸受ホルダと、を備え、前記開口部は、前記ケースと前記軸受ホルダの間に設けられ、前記防塵部は、前記軸受ホルダに支持されている。
【０００９】
前記スピーカ装置では、例えば、前記防塵部は、ブラシである。
【００１０】
前記スピーカ装置では、例えば、前記防塵部は、複数の帯状のシートを有する。
【発明の効果】
【００１１】
本発明の上記態様によれば、支持部の内部に塵が入るのが抑制されやすい新規な構成のスピーカ装置を得ることができる。
【図面の簡単な説明】
【００１２】
【図１】図１は、第一の実施形態のスピーカ装置の上側からの例示的な斜視図である。
【図２】図２は、第一の実施形態のスピーカ装置の例示的な側面図である。
【図３】図３は、第一の実施形態のスピーカ装置の下側からの例示的な斜視図である。
【図４】図４は、第一の実施形態のスピーカ装置の例示的な断面図である。
【図５】図５は、第一の実施形態のスピーカ装置の一部の例示的な断面図である。
【図６】図６は、第一の実施形態のスピーカ装置の内部構成の例示的な斜視図である。
【図７】図７は、第一の実施形態のスピーカ装置の一部の例示的な断面図である。
【図８】図８は、第一の実施形態のスピーカ装置の一部の例示的に断面図であって、防塵部の図示が省略された図である。
【図９】図９は、第一の実施形態のスピーカ装置における軸受、軸受ホルダ、および防塵部の例示的な斜視図である。
【図１０】図１０は、第一の実施形態のスピーカ装置の一部の例示的な断面図であって、回転部が水平位置に対して回転した状態の図である。
【図１１】図１１は、第二の実施形態のスピーカ装置における軸受、軸受ホルダ、および防塵部の例示的な斜視図である。
【発明を実施するための形態】
【００１３】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１４】
また、以下の複数の実施形態には、同様の構成要素が含まれている。それら同様の構成要素には共通の符号が付与されるとともに、重複する説明が省略される。
【００１５】
＜第一の実施形態＞
図１は、本実施形態のスピーカ装置１の上側からの例示的な斜視図である。図２は、本実施形態のスピーカ装置１の例示的な側面図である。図３は、第一の実施形態のスピーカ装置１の下側からの例示的な斜視図である。
【００１６】
図１〜図３に示されるように、スピーカ装置１は、固定部１０と、駆動部５０と、音を放射する回転部９０と、を備える。固定部１０は、天井面等の設置壁２（図２）に固定される。固定部１０と駆動部５０とは、回転部９０を支持する支持部５を構成している。支持部５は、回転部９０を回転中心軸Ａｘ１回りおよび回転中心軸Ａｘ２回りにそれぞれ規定の角度範囲内で回転可能に支持している。回転中心軸Ａｘ１は、設置壁２と交差（一例として直交）する。回転中心軸Ａｘ２は、回転中心軸Ａｘ１と交差（一例として直交）する。設置壁２は設置部や設置対象部とも称される。
【００１７】
図４は、第一の実施形態のスピーカ装置１の例示的な断面図である。
【００１８】
図４に示されるように、固定部１０は、ケース１１と、複数の結合具１２と、基板装置１３と、を有する。
【００１９】
ケース１１は、複数のケース部材１４〜１６の組み合わせによって構成されている。ケース部材１４は、底壁１４ａと、底壁１４ａの外周部から上方に延びた円筒部１４ｂと、を有する。ケース部材１４は、例えば合成樹脂材料によって構成されている。ケース部材１５は、円筒部１４ｂの上端部の開口部を塞ぐように配置されている。ケース部材１６は、ケース部材１５の下側に配置されている。ケース部材１６は、ネジ等の結合具１７によって、ケース部材１５に固定されている。また、ケース部材１６は、底壁１４ａの上側で底壁１４ａに重ねられ、底壁１４ａに固定されている。ケース部材１５，１６および結合具１７は、例えば、鉄等の導電性材料によって構成されている。ケース１１には、収容室１１ａが設けられている。収容室１１ａは、ケース部材１４〜１６によって囲まれている。
【００２０】
結合具１２は、ケース部材１５に固定されるとともに、ケース部材１５から上方に突出している。結合具１２は、例えば、ボルトであり、設置壁２に設けられるナットと結合する。結合具１２は、例えば金属等の導電性材料によって構成されている。
【００２１】
基板装置１３は、収容室１１ａに収容されている。基板装置１３は、基板１８と、基板１８に実装された複数の電子部品１９と、基板１８に実装されたコネクタ２０と、を有する。コネクタ２０は、外部コネクタ（不図示）と結合可能である。コネクタ２０には、例えば、外部コネクタから音データ等の電気信号が入力される。
【００２２】
図５は、第一の実施形態のスピーカ装置１の一部の例示的な断面図である。図６は、第一の実施形態のスピーカ装置１の内部構成の例示的な斜視図である。
【００２３】
図１、および図４〜図６に示されるように、駆動部５０は、ケース５１と、フレーム５２と、二つの回転機構５３，５４と、を有する。
【００２４】
図１および図４に示されるように、ケース５１は、ベース５１ａと、二つの突出部５１ｂ，５１ｃとを有する。ベース５１ａは、回転中心軸Ａｘ１回りに筒状に形成されている。二つの突出部５１ｂ，５１ｃは、ベース５１ａから下方に延びている。二つの突出部５１ｂ，５１ｃは、回転中心軸Ａｘ２の軸方向に離間している。ケース５１は、例えば、合成樹脂材料によって構成されている。
【００２５】
ケース５１には、二つの突出部５１ｂ，５１ｃの間に溝部５１ｄが設けられている。溝部５１ｄは、ベース５１ａに含まれる底壁５１ａａの外面５１ａｂと、突出部５１ｂに含まれる壁５１ｂａの外面５１ｂｂと、突出部５１ｃに含まれる壁５１ｃａの壁５１ｃｂと、よって形成されている。また、溝部５１ｄには、開口部５１ｈ（貫通孔）が形成されている。開口部５１ｈは、底壁５１ａａと壁５１ｂａと壁５１ｃａとを貫通している。
【００２６】
また、ケース５１の内部には、収容室５１ｅが設けられている。収容室５１ｅは、ベース５１ａと突出部５１ｂと突出部５１ｃとに亘って設けられている。収容室５１ｅは、収容室１１ａとともに支持部５の収容室５ａを構成している。
【００２７】
図４および図５に示されるように、フレーム５２は、収容室５１ｅに収容されている。フレーム５２は、ケース部材１４の底壁１４ａに固定されている。図４〜図６に示されるように、フレーム５２は、複数のフレーム部材５５，５６の組み合わせによって構成されている。複数のフレーム部材５５，５６は、互いに固定されている。各フレーム部材５５，５６は、鉄等の導電性材料によって構成されている。すなわち、フレーム５２は、導電性を有する。
【００２８】
図４および図５に示されるように、回転機構５３は、収容室５１ｅに収容されている。図４〜図６に示されるように、回転機構５３は、シャフト６０と、モータ６１と、ギヤ機構６２と、軸受６３と、を有する。
【００２９】
シャフト６０は、軸受６３によって、フレーム５２ひいては固定部１０に対して回転中心軸Ａｘ１回りに回転可能に支持されている。軸受６３は、フレーム５２に支持されている。モータ６１は、フレーム５２に支持されている。ギヤ機構６２は、シャフト６０に固定された傘歯車６４と、モータ６１の回転軸に固定され、傘歯車６４と噛み合う傘歯車６５と、を有する。ギヤ機構６２は、モータ６１の回転運動をシャフト６０の回転運動に変換する。
【００３０】
シャフト６０の下端部には、固定部材５７を介して支持部材５８が固定されている。支持部材５８は、ケース５１および回転機構５３を支持している。また、支持部材５８は、回転機構５３を介して回転部９０を支持している。固定部材５７、支持部材５８、ケース５１、回転機構５３、および回転部９０は、シャフト６０と一体となって回転中心軸Ａｘ１回りに回転する。固定部材５７および支持部材５８は、例えば金属などの導電性材料によって構成されている。
【００３１】
上記構成の回転機構５３では、モータ６１の動力によってシャフト６０が回転する。シャフト６０の回転により、ケース５１、回転機構５３、および回転部９０が回転中心軸Ａｘ１回りに回転する。
【００３２】
上記のシャフト６０の回転は、ロックピン６６によってロックすることができる。ロックピン６６は、ケース５１に設けられた孔に入れられるとともに固定部１０のケース部材１６に設けられた孔１６ａに挿入されることにより、ケース５１ひいてはシャフト６０の回転を制限する。ロックピン６６が孔１６ａから外された状態では、シャフト６０、ケース５１、回転機構５３、および回転部９０が回転中心軸Ａｘ１回りに回転可能である。
【００３３】
図４〜図６に示されるように、回転機構５４は、シャフト６８と、モータ６９と、軸受７０，７１と、軸受ホルダ７２、７３と、を有する。
【００３４】
シャフト６８は、軸受７０，７１によって、支持部材５８ひいてはケース５１、フレーム５２、および固定部１０に対して回転中心軸Ａｘ２回りに回転可能に支持されている。シャフト６０の軸方向の両端部は、収容室５１ｅに収容され、シャフト６０の中間部、詳細には軸受７０と軸受７１との間のシャフト６０は、ケース５１の外側に位置されている。軸受７０と軸受７１との間のシャフト６０には、回転部９０が固定されている。これにより、シャフト６０と回転部９０とが、一体となって、回転中心軸Ａｘ２回りに回転する。シャフト６８は、例えば、金属等の導電性材料によって構成されている。
【００３５】
軸受７０，７１は、軸受ホルダ７２，７３を介して支持部材５８に支持されている。軸受ホルダ７２の詳細は後述する。モータ６９は、支持部材５８に支持されている。
【００３６】
上記構成の回転機構５３では、モータ６９の動力によってシャフト６８が回転する。シャフト６８の回転により、回転部９０が回転中心軸Ａｘ２回りに回転する。
【００３７】
図７は、本実施形態のスピーカ装置１の一部の例示的な断面図である。図８は、第一の実施形態のスピーカ装置１の一部の例示的に断面図であって、防塵部７５の図示が省略された図である。
【００３８】
図７および図８に示されるように、軸受ホルダ７２は、溝部５１ｄに設けられた開口部５１ｈに少なくとも一部が位置されている。軸受ホルダ７２と、突出部５１ｂとの間には、開口部５０ａが設けられている。開口部５０ａは、開口部５１ｈに含まれる。開口部５０ａは、収容室５ａと通じている。
【００３９】
図９は、第一の実施形態のスピーカ装置１における軸受７０、軸受ホルダ７２、および防塵部７５の例示的な斜視図である。
【００４０】
図９に示されるように、軸受ホルダ７２は、ベース７２ａと、ベース７２ａから下方に突出した半円状部７２ｂと、を有する。半円状部７２ｂは、ベース７２ａの中央部から下方に突出している。これにより、ベース７２ａは、半円状部７２ｂに対して突出した突出部７２ｄが形成されている。軸受ホルダ７２は、例えば、金属等の導電性材料によって構成されている。
【００４１】
突出部７２ｄの下面７２ｄａと、半円状部７２ｂの外周面７２ｂａとは、開口部５０ａに面している。これらの下面７２ｄａおよび外周面７２ｂａと、突出部５１ｂにおける開口部５１ｈの縁部（縁面）とは、開口部５０ａを形成している。
【００４２】
軸受ホルダ７２には、軸受７０が嵌められた貫通孔７２ｃが設けられている。
【００４３】
また、半円状部７２ｂには、防塵部７５が設けられて、開口部５０ａに位置している。換言すると、防塵部７５は、開口部５０ａに設けられている。防塵部７５は、開口部５０ａを部分的に塞ぐように設けられている。
【００４４】
防塵部７５は、ブラシである。詳細には、防塵部７５は、複数の毛束７６を有する。毛束７６は、複数の毛７６ａを有する。複数の毛束７６は、半円状部７２ｂの外周面７２ｂａにおいて回転中心軸Ａｘ２回りに並べられている。複数の毛束７６は、半円状部７２ｂの外周面７２ｂａから突出している。毛束７６の基端部は、半円状部７２ｂに固定され、毛束７６の先端部は、固定されていない。すなわち、毛７６ａが軸受ホルダ７２に植毛されている。毛７６ａは、鉄等の導電性材料を含み、導電性を有する。また、毛７６ａは、単一または複数の材料によって構成されうる。なお、毛７６ａは、合成樹脂材料で構成されていてもよいし、動物の毛であってもよい。毛７６ａおよび毛束７６は、弾性変形可能である。すなわち、防塵部７５は、弾性変形可能である。別の言い方をすると、防塵部７５は、柔軟性を有する。防塵部７５は、開口部５０ａを通過しようとする塵を捕捉可能である。換言すると、防塵部７５には、塵が付着する。防塵部７５は、除電ブラシとも称される。塵は、異物とも称される。
【００４５】
図４に示されるように、回転部９０は、ケース９１と、支柱９２、音放射部９９と、を有する。
【００４６】
ケース９１は、複数のケース部材９４〜９６の組み合わせによって構成されている。ケース部材９４は、円筒状に形成されている。ケース部材９５は、ケース部材９４の上端部の開口部を塞ぎ、ケース部材９６は、ケース部材９６の下端部の開口部を塞いでいる。複数のケース部材９４〜９６は、互いに固定されている。
【００４７】
支柱９２は、ケース部材９５に固定され、ケース部材９５から上方に突出している。支柱９２は、筒状に形成されている。
【００４８】
音放射部９９は、ケース９１内に収容されている。音放射部９９は、電気信号を音に変換する変換素子である複数のスピーカ素子９３を有する。音放射部９９には、ケーブル８０によって電気信号が入力される。音放射部９９は、音出力部とも称される。
【００４９】
図４および図５に示されるように、ケーブル８０は、開口部５０ａを通るとともに収容室５ａと音放射部９９とに亘って設けられている。ケーブル８０は、例えば基板装置１３に電気的に接続されている。また、ケーブル８０は、支柱９２の内側を通って音放射部９９に接続されている。ケーブル８０は、支柱９２に取り付けられた環状の保護部材９８を通って、支柱９２の内外に延びる。保護部材９８は、支柱９２に設けられた貫通孔に嵌められている。すなわち、ケーブル８０は、支柱９２の貫通孔を通る。保護部材９８は、例えば合成樹脂材料やエラストマ等によって構成されている。
【００５０】
図１０は、第一の実施形態のスピーカ装置１の一部の例示的な断面図であって、回転部９０が水平位置に対して回転した状態の図である。
【００５１】
上記構成のスピーカ装置１では、図７および図１０に示されるように、回転部９０が支持部５に対して回転中心軸Ａｘ２回りに回転可能である。回転部９０が支持部５に対して回転中心軸Ａｘ２回りに回転した場合、開口部５０ａ内においてケーブル８０が回転中心軸Ａｘ２の周方向へ移動する。このとき、防塵部７５の毛束７６は、ケーブル８０に押されることにより弾性変形する。すなわち、防塵部７５は、開口部５０ａ内におけるケーブル８０の回転中心軸Ａｘ２の周方向への移動を許容する。
【００５２】
以上のように、本実施形態では、スピーカ装置１は、支持部５と、回転部９０と、ケーブル８０と、防塵部７５と、を備える。支持部５には、収容室５ａと、収容室５ａと通じた開口部５０ａと、が設けられている。回転部９０は、音を放射する音放射部９９を有し、回転中心軸Ａｘ２回りに回転可能に支持部５に支持されている。ケーブル８０は、開口部５０ａを通るとともに収容室５ａと音放射部９９とに亘って設けられている。防塵部７５は、開口部５０ａに設けられ、塵を捕捉可能である。防塵部７５は、開口部５０ａ内において回転中心軸Ａｘ２の周方向へ移動するケーブル８０に押されることにより弾性変形する。
【００５３】
このような構成によれば、開口部５０ａに設けられた防塵部７５が塵を捕捉するので、塵が開口部５０ａから支持体の内部（収容室５ａ）に入るのが抑制されやすい。よって、収容室５ａが汚れるのを抑制しやすい。
【００５４】
また、本実施形態では、防塵部７５は、導電性を有する。
【００５５】
このような構成によれば、例えば、ケーブル８０の静電気が防塵部７５に流れやすい。
【００５６】
また、本実施形態では、支持部５は、ケース５１と、ケース５１に一部が収容されたシャフト６８と、シャフト６８を回転中心軸Ａｘ２回りに回転可能に支持した軸受７０と、導電性を有し、軸受７０を支持した軸受ホルダ７２と、を備える。開口部５０ａは、ケース５１と軸受ホルダ７２の間に設けられている。防塵部７５は、軸受ホルダ７２に支持されている。
【００５７】
このような構成によれば、例えば、ケーブル８０の静電気が、防塵部７５を介して軸受ホルダ７２に流れやすい。ここで、本実施形態では、ケーブル８０の静電気は、防塵部７５、軸受ホルダ７２、軸受７０、支持部材５８、固定部材５７、シャフト６０、軸受６３、フレーム５２、ケース部材１６、結合具１７、およびケース部材１５を介して、結合具１２に流れる。これにより、ケーブル８０の静電気等のノイズをスピーカ装置１の外部に流すことができる。よって、基板装置１３に静電気等のノイズが伝わるのを抑制することができる。ここで、フレーム５２とケース部材１６とは、電気的に接続されている。
【００５８】
また、本実施形態では、防塵部７５は、ブラシである。
【００５９】
このような構成によれば、例えば、防塵部７５の見た目を向上させやすい。すなわち、スピーカ装置１の美観を向上させやすい。
【００６０】
＜第二の実施形態＞
図１１は、第二の実施形態のスピーカ装置１における軸受７０、軸受ホルダ７２、および防塵部７５の例示的な斜視図である。
【００６１】
本実施形態のスピーカ装置１は、第一の実施形態のスピーカ装置１と同様の構成を有する。ただし、図１１に示されるように、本実施形態のスピーカ装置１は、防塵部７５に替えて防塵部７５Ａを備える。
【００６２】
防塵部７５Ａは、帯状の複数のシート７６Ａを有する。複数のシート７６Ａは、半円状部７２ｂの外周面７２ｂａにおいて回転中心軸Ａｘ２回りに並べられている。複数のシート７６Ａは、半円状部７２ｂの外周面７２ｂａから突出している。シート７６Ａの基端部は、半円状部７２ｂに固定され、シート７６Ａの先端部は、固定されていない。シート７６Ａは、鉄等の導電性材料を含み、導電性を有する。なお、シート７６Ａは、単一または複数の材料によって構成されうる。また、シート７６Ａは、合成樹脂材料で構成されていてもよい。シート７６Ａは、弾性変形可能である。すなわち、防塵部７５Ａは、弾性変形可能である。別の言い方をすると、防塵部７５Ａは、柔軟性を有する。防塵部７５Ａは、開口部５０ａを通過しようとする塵を捕捉可能である。換言すると、防塵部７５Ａには、塵が付着する。
【００６３】
以上のように、本実施形態では、防塵部７５Ａは、複数の帯状のシート７６Ａを有する。
【００６４】
このような構成によれば、防塵部７５を比較的安価にしやすい。
【００６５】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６６】
１…スピーカ装置、５…支持部、５ａ…収容室、５０ａ…開口部、５１…ケース、６８…シャフト、７０…軸受、７２…軸受ホルダ、７５，７５Ａ…防塵部、７６Ａ…シート、８０…ケーブル、９０…回転部、９９…音放射部、Ａｘ２…回転中心軸。
【要約】      （修正有）【課題】支持部の内部に塵が入るのが抑制されやすい新規な構成のスピーカ装置を提供する。【解決手段】スピーカ装置１は、支持部と、回転部９０と、防塵部７５と、を備える。支持部には、収容室５ａと、収容室と通じた開口部５０ａと、が設けられている。回転部は、音を放射する音放射部９９を有し、回転中心軸Ａｘ１回りに回転可能に支持部に支持されている。ケーブル８０は、開口部を通るとともに収容室と音放射部とに亘って設けられている。防塵部は、開口部に設けられ、塵を捕捉可能であり、開口部内において回転中心軸の周方向へ移動するケーブルに押されることにより弾性変形する。【選択図】図４【図１】
0006829410.tif 000002
【図２】
0006829410.tif 000003
【図３】
0006829410.tif 000004
【図４】
0006829410.tif 000005
【図５】
0006829410.tif 000006
【図６】
0006829410.tif 000007
【図７】
0006829410.tif 000008
【図８】
0006829410.tif 000009
【図９】
0006829410.tif 000010
【図１０】
0006829410.tif 000011
【図１１】
0006829410.tif 000012